(57)【要約】【課題】舌片状のカバー体を有する袋状ケースにおいて、封止シールを用いることなく、低コストで内容物を抜き取れないようにする。【解決手段】撓性樹脂で形成された袋状のケース本体２と、このケース本体２の開口部２４を開閉可能に覆う舌片状のカバー体３と、このカバー体３を閉じるホック３２やホック係止体３１とを備えてなる袋状ケース１において、ケース本体２の収納空間内に挿入される厚紙などの挿入体４を設ける。この挿入体４には、ケース本体２に挿入される側である第一端部４６側と反対側である第二端部４７を前記開口部２４を覆うように周回させてケース本体２の外側表面に位置させる本体部４１と、この本体部４１におけるケース本体２の前面部２１から、前記ケース本体２の側面部２２や背面部２３を周回するように設けられた帯部４５を設ける。そして、この帯部４５を不可逆的に切除できるようにする。【選択図】図１
2010052756.tif 000002
【特許請求の範囲】
【請求項１】
可撓性樹脂で形成された袋状のケース本体と、当該ケース本体の開口部を開閉可能に覆う舌片状のカバー体と、当該カバー体をケース本体の外側表面に係止させて前記開口部を閉じる係止部材とを備えてなる袋状ケースにおいて、
前記ケース本体の収納空間内に挿入される挿入体を設け、当該挿入体に、
前記収納空間内に挿入される第一端部側と反対側である第二端部側を、前記開口部を覆うように周回させて前記ケース本体の外側表面に位置させる本体部と、
当該本体部における前記ケース本体の外側表面部分から、前記ケース本体の外周部を周回するように設けられた帯部を設け、当該帯部を不可逆的に切除可能に構成したことを特徴とする袋状ケース。
【請求項２】
前記挿入体を単一のシートを切り抜いて同時に形成した請求項１に記載の袋状ケース。
【請求項３】
前記挿入体の本体部と帯部とを別体に構成してそれぞれを接着させた請求項１に記載の袋状ケース。
【請求項４】
前記本体部が、ケース本体のマチ部、もしくは、ケース本体の底部を周回するように設けた請求項１に記載の袋状ケース。
【発明の詳細な説明】
【技術分野】
【０００１】
本発明は、可撓性樹脂によって形成された袋状ケースに関し、より詳しくは、商品として販売される前に内容物を取り出せないようにした袋状ケースに関する。
【背景技術】
【０００２】
一般に、歯ブラシセットや洗面用具などは、袋状ケースごと販売されることがある。この袋状ケースの一般的な構造について図８を用いて説明すると、図中において、５はケース本体であり、内側に内容物を収納できる収納空間を形成できるようにした可撓性樹脂によって形成されるものである。また、６は、そのケース本体５の開口部を開閉するファスナーであり、このファスナー６をスライドさせることによって開口部を開閉して商品を収納できるようにしたものである。
【０００３】
ところで、このような袋状ケースに商品を入れて販売する場合、一般的には、この袋状ケースのまま陳列棚に陳列されて販売されることが多い。しかしながら、このように袋状ケースのまま店頭に陳列されると、悪意のある者によって、勝手にファスナー６が開けられて内容物が抜き取られたり、あるいは、別の商品にすり替えられたりすることがある。このため、従来では、悪戯を防止して消費者に安堵感を与えられるようにするために、ファスナー６の開口部分に封止シール７を貼り付けてファスナー６を開けられないようにしていた（特許文献１など）。
【特許文献１】特開2007−254011号公報
【発明の開示】
【発明が解決しようとする課題】
【０００４】
しかしながら、このような封止シール７を用いてファスナー６を開けられないようにした構造であると、次のような問題を生ずる。すなわち、そのファスナー６の開口部分に封止シール７を貼り付ける方法であると、ファスナー６の開封を防止することができるものの、開口部が大きく形成された袋状ケースに舌片状のカバー体を開閉させるような構造であると、カバー体と開口部の隙間が大きくなってしまい、すべての開口部を封止することができない。
【０００５】
また、このようなカバー体の複数箇所に封止シールを貼り付けて隙間をなくすようにすることも考えられるが、このように複数箇所に封止シールを貼り付ける方法では、手間がかかり、作業にコストがかかってしまう。さらには、複数箇所に封止シールを貼り付けると、剥がした多くの箇所に粘着剤が残ってしまい、ユーザーに不快感を与えてしまう。
【０００６】
そこで、本発明は上記課題に着目してなされたもので、舌片状のカバー体を有する袋状ケースにおいて、封止シールを用いることなく、低コストで内容物を抜き取れないようにした袋状ケースを提供することを目的とする。
【課題を解決するための手段】
【０００７】
すなわち、本発明は上記課題を解決するために、可撓性樹脂で形成された袋状のケース本体と、当該ケース本体の開口部を開閉可能に覆う舌片状のカバー体と、当該カバー体をケース本体の外側表面に係止させて前記開口部を閉じる係止部材とを備えてなる袋状ケースにおいて、前記ケース本体の収納空間内に挿入される挿入体を設け、当該挿入体に、前記収納空間内に挿入される第一端部側と反対側である第二端部側を、前記開口部を覆うように周回させて前記ケース本体の外側表面に位置させる本体部と、当該本体部における前記ケース本体の外側表面部分から、前記ケース本体の外周部を周回するように設けられた帯部を設け、当該帯部を不可逆的に切除可能に構成したものである。
【０００８】
このようにすれば、挿入体でケース本体の開口部を覆うとともに、その開口部を覆った状態を帯部で保持することができるため、封止シールを用いることなく開口部全体を覆うことができるようになる。また、挿入体をケース本体と別体で構成して挿入するようにしているため、従来の袋状ケースを設計変更することなく、開口部を封止することができるようになる。さらには、開口部全体にわたって封止シールを貼り付ける必要がなくなるので、封止シールを貼り付けるための作業コストが低減し、剥がした後の粘着による不快感もなくすようにすることができる。
【０００９】
また、このような発明において、袋状ケースに挿入される挿入体を、単一のシートを切り抜いて本体部と帯部を同時に形成する。
【００１０】
このようにすれば、本体部と帯部とを別々に切り出して接着させるという作業がなくなり、作業工程を簡略化させることができるようになる。
【００１１】
また、別の発明において、本体部と帯部を別体に構成し、それぞれを接着させて挿入体を構成することもできる。
【００１２】
このようにすれば、例えば、挿入体が長方形状の本体部と、これに直交する帯部とから構成されている場合、Ｔ字状に一体的に切り出すのではなく、長方形状の本体と帯部をそれぞれを切り抜くことができるため、１枚のシートからの切り出し効率をよくすることができる。
【００１３】
さらに、前記本体部を、ケース本体のマチ部、もしくは、ケース本体の底部を周回するように構成する。
【００１４】
このようにすれば、商品を入れることによって、そのマチ部などを周回する底部で挿入体の本体部を押さえることができるため、挿入体が強引に引き抜かれるということがなくなる。
【発明の効果】
【００１５】
本発明によれば、可撓性樹脂で形成された袋状のケース本体と、当該ケース本体の開口部を開閉可能に覆う舌片状のカバー体と、当該カバー体をケース本体の外側表面に係止させて前記開口部を閉じる係止部材とを備えてなる袋状ケースにおいて、前記ケース本体の収納空間内に挿入される挿入体を設け、当該挿入体に、前記収納空間内に挿入される第一端部側と反対側である第二端部側を、前記開口部を覆うように周回させて前記ケース本体の外側表面に位置させる本体部と、当該本体部における前記ケース本体の外側表面部分から、前記ケース本体の外周部を周回するように設けられた帯部を設け、当該帯部を不可逆的に切除可能に構成したので、封止シールを用いることなく開口部全体を覆うことができるようになる。また、挿入体をケース本体と別体で構成して挿入するようにしているため、従来の袋状ケースを設計変更することなく、開口部を封止することができるようになる。さらには、開口部全体にわたって封止シールを貼り付ける必要がなくなるので、封止シールを貼り付けるための作業コストが低減し、剥がした後の粘着による不快感もなくすようにすることができる。
【発明を実施するための最良の形態】
【００１６】
以下、本発明の一実施の形態について図面を参照して説明する。図１は、本発明の一実施の形態である袋状ケース１の外観斜視図を示したものであり、図２は、図１におけるＡ−Ａ断面図、図３は、図１におけるＢ−Ｂを示したものである。また、図４は、袋状ケース１におけるケース本体２に挿入される挿入体４のみを示したものである。
【００１７】
この実施の形態における袋状ケース１は、塩化ビニル、ポリプロピレン、ポリエチレン、エチレンビニルアルコールなどのような可撓性樹脂のシートによって形成されるものであって、このような樹脂シートを切り出すことで、マチ部２０や前面部２１、側面部２２、背面部２３を有するケース本体２と、その上方に開口部２４を覆う舌片状のカバー体３とを設けるようにしている。なお、この袋状ケース１を形成する場合、この実施の形態では、ケース本体２とカバー体３とを別体に切り出して背面部２３で溶着するようにしているが、ケース本体２とカバー体３とを一枚の樹脂シートで切り出してもよい。そして、このように切り出された袋状ケース１の前面部２１には、ホック係止体３１を取り付けており、また、これに対応したカバー体３には、係止部材であるホック３２を取り付けて、それぞれ係合させるようにしている。
【００１８】
このケース本体２に挿入される挿入体４は、図４に示すように、厚紙や薄いプラスチックフィルムなどの紙葉類をＴ字状に切り抜いて形成されるもので、Ｔ字をなす縦長方向の本体部４１と、Ｔ字をなす横長方向の帯部４５とを備えている。そして、この縦長方向の本体部４１をケース本体２内に挿入し、その上部に設けられた周回部４３を屈曲させてケース本体２の開口部２４を覆い、その状態で、Ｔ字をなす横長方向の帯部４５をケース本体２に周回させて背面部２３で接着させるようにしている。
【００１９】
この挿入体４について詳述すると、本体部４１は、幅方向の寸法をケース本体２の横幅とほぼ同じ寸法に設定される、一方、縦長方向の寸法については、ケース本体２の前面部２１の下端側に位置する第一端部４６からマチ部２０、背面部２３、開口部２４を通り、ホック係止体３１の存在する第二端部４７側までの長さを有するように構成される。そして、ケース本体２にマチ部２０に対応する部分をＬ字状に折り曲げて底部４２を構成し、この底部４２の上に商品を載せるようにしている。すなわち、底部４２が存在しない状態であると、ホック３２を明けた状態でそのまま挿入体４を上にスライドさせて挿入体４を抜き取ることができてしまう。そこで、底部４２を設けて商品を載せ、簡単には挿入体４を抜き取れないようにしている。
【００２０】
一方、周回部４３は、ケース本体２の開口部２４を覆うことによって簡単に商品を抜き取れないようにしたものであって、本体部４１の上部を屈曲させて開口部２４との間の隙間を塞ぐようにしている。なお、この周回部４３については、本体部４１から連続的に設けるようにしてもよく、あるいは、図５に示すように、背面部２３とカバー体３との境界部分に横長方向のミシン目４３１を設け、そこで切除できるようにしてもよい。このようにすれば、実際に商品を購入して内容物を使用する場合に、そのミシン目４３１で切除して使用することができるようになる。
【００２１】
また、この周回部４３については、図１などでは、周回部４３を逆V字状に屈曲させて開口部２４を塞ぐようにしているが、図６に示すように、周回部４３を２箇所直角に折り曲げて開口部２４を塞ぐようにしてもよい。このようにすれば、開口部２４の近傍における収納空間を大きくとることができ、しかも、開口部２４全体を塞ぐことができるので、そこから小さな商品（例えば、小さい歯磨粉チューブなど）を抜き取られることを防止することができる。
【００２２】
また、このように構成された周回部４３の先端部近傍には、小さな孔部４４を設けており、この孔部４４にホック係止体３１を位置させてホック３２を係止できるようにしている。この孔部４４は、その内径をホック係止体３１よりも若干大きく構成しており、その孔部４４をホック係止体３１に挿入して固定することにより係合の邪魔をしないようにしている。
【００２３】
一方、帯部４５は、その挿入部の左右両側から延びるように設けられ、両端を両面テープやセロハンテープ、接着剤などで不可逆的に接着できるようにしている。この帯部４５は、図４などにおいては、シートをＴ字状に切り抜いて構成するようにしているが、本体部４１と帯部４５を連続するように逆Ｌ字状に切り抜いて構成してもよい。さらに、このようなＴ字状やＬ字状の切り抜き方法であると、一枚のシートからの切り抜き枚数が少なくなってしまい、シートからの切り出し効率が悪くなってしまう。そこで、図７に示すように、この帯部４５と本体部４１とを別に切り抜いてそれぞれを接着させて使用することもできる。このようにすれば、一枚のシートから多くの帯部４５や本体部４１を切り出すことができ、低コストに挿入体４を作ることができるようになる。
【００２４】
次に、このように構成されたケース本体２と挿入体４の使用方法について説明する。
【００２５】
まず、袋状ケース１に商品を入れる場合、袋状ケース１のカバー部を開け、挿入体４の底部４２をマチ部２０の大きさに合わせて折り曲げて挿入する。そして、その上から内容物を入れる。ここで、内容物としては、シャンプーやリンス、歯磨粉チューブ、歯ブラシなどを想定するが、これ以外の商品であってもよい。そして、このような内容物を収納した後、開口部２４を塞ぐように周回部４３折り曲げ、その周回部４３の孔部４４をホック係止体３１に挿入してホック３２を係合させる。次に、この状態で帯部４５をケース本体２の側面部２２や背面部２３を周回させ、背面部２３で接着部材を用いて不可逆的に接着させる。
【００２６】
このようにすると、仮に、カバー体３のホック３２が外されたとしても挿入体４によって開口部２４を塞いでおり、しかも、帯部４５でその封止状態を固定しているため、簡単に内容物を抜き取ったり悪戯されたりすることを防止できる。しかも、帯部４５で不可逆的に接着しているため、帯部４５が破れていることを見ただけで悪戯されたか否かを判断することができ、商品の内容をチェックして他の商品に取り替えたりすることができる。
【００２７】
このように上記実施の形態では、可撓性樹脂で形成された袋状のケース本体２と、当該ケース本体２の開口部２４を開閉可能に覆う舌片状のカバー体３と、当該カバー体３をケース本体２の外側表面に係止させて前記開口部２４を閉じるホック３２やホック係止体３１とを備えてなる袋状ケース１において、前記ケース本体２の収納空間内に挿入される挿入体４を設け、当該挿入体４に、前記収納空間内に挿入される第一端部４６側と反対側である第二端部４７を前記開口部２４を覆うように周回させて前記ケース本体２の外側表面に位置させる本体部４１と、当該本体部４１における前記ケース本体２の外側表面部分から、前記ケース本体２の外周部を周回するように設けられた帯部４５を設け、当該帯部４５を不可逆的に切除できるようにしたので、封止シールでカバー体３全部を封止することなく内容物の抜き取りを防止することができる。また、挿入体４をケース本体２と別体で構成して挿入するようにしているため、従来の袋状ケース１の形状に変更を施すことなく、開口部２４を封止することができるようになる。さらには、開口部２４全体にわたって封止シールを貼り付ける必要がなくなるので、封止シールを貼り付けるための作業コストを低減し、剥がした後の粘着による不快感もなくすようにすることができる。
【００２８】
また、図１から図４に示すように、一枚の樹脂シートを切り抜いて挿入体４を形成するようにしたので、本体部４１と帯部４５とを別々に切り出して接着させるという作業がなくなり、作業工程を簡略化させることができるようになる。
【００２９】
さらに、図７に示すような実施の形態では、本体部４１と帯部４５を別体に構成し、それぞれを接着させて挿入体４を構成したので、一枚の樹脂シートからの切り出し効率をよくすることができる。
【００３０】
さらに、底部４２を有するように挿入体４を構成したので、底部４２の上に載せられる商品の重みによって挿入体４がそのまま抜き取られるということがなくなる。
【００３１】
なお、本発明は上記実施の形態に限定されることなく、種々の態様で実施することができる。
【００３２】
例えば、上記実施の形態では、挿入部をケース本体２に挿入するようにしているが、この挿入部の裏面に商品の成分表や製造場所などの各種情報を印刷するようにしてもよい。
【００３３】
また、上記実施の形態では、ホック３２を有する袋状ケース１を例に挙げて説明しているが、ホック３２のみならず、カバー体３の開封状態を何らかの形で閉じることのできるような部材であれば、どのような部材であっても用いることができる。このような部材としては、矢尻状の部材をカバー体３の先端に取り付け、その矢尻を挿入できるような構造などが考えられる。
【００３４】
さらに、上記実施の形態では、挿入体４の底部４２をＬ字状に折り曲げて構成するようにしているが、マチ部２０の存在しない袋状ケース１に対しては、挿入体４の下端部分をＶ字状に折り曲げて構成するようにしてもよい。
【図面の簡単な説明】
【００３５】
【図１】本発明の一実施の形態を示す袋状ケースの外観斜視図
【図２】同形態におけるＡ−Ａ断面図
【図３】同形態における側面図
【図４】同形態におけるケース本体に挿入される挿入体を示す図
【図５】他の実施の形態における挿入体を示す図
【図６】他の実施の形態における挿入体を示す図
【図７】他の実施の形態における挿入体を示す図
【図８】従来例における封止シールを用いた袋状ケースを示す図
【符号の説明】
【００３６】
１・・・袋状ケース
２・・・ケース本体
２０・・・マチ部
２１・・・前面部
２２・・・背面部
２３・・・側面部
２４・・・開口部
３・・・カバー体
３１・・・ホック係止体
３２・・・ホック
４・・・挿入体
４１・・・本体部
４２・・・底部
４３・・・周回部
４４・・・孔部
４５・・・帯部
４６・・・第一端部
４７・・・第二端部
【図１】
2010052756.tif 000003
【図２】
2010052756.tif 000004
【図３】
2010052756.tif 000005
【図４】
2010052756.tif 000006
【図５】
2010052756.tif 000007
【図６】
2010052756.tif 000008
【図７】
2010052756.tif 000009
【図８】
2010052756.tif 000010